(57)【要約】【課題】回路規模を増大させることなく、プレビュー画面に於いて歪曲収差補正処理後の画像を確認可能な電子撮像装置を提供することである。【解決手段】ズーム可動レンズ群１５が所定焦点距離近傍にあることが、検出片２２及びＷＩＤＥ側検出スイッチ２３により検出される。撮像センサ２０で得られたズーム可動レンズ群補１５に起因する歪曲収差は、歪補正回路２６で電気的に補正される。そして、ＷＩＤＥ側検出スイッチ２３によってズーム可動レンズ群１５が広角側にあると検出されると、システムコントローラ１１により歪補正回路２６による歪曲収差の補正が行われる。また、この補正されて液晶モニタ３０に表示されるプレビュー画像は、歪補正回路２６の処理時間に対応した時間間隔で更新される。【選択図】      図２
2007005912.tif 000002
【特許請求の範囲】
【請求項１】
所定焦点距離近傍にて歪曲収差の補正を要するズームレンズと、
このズームレンズが所定焦点距離近傍にあることを検出する領域検出手段と、
上記ズームレンズの焦点面に配された撮像手段の出カ信号を入力し、上記ズームレンズに起因する歪曲収差を電気的に補正可能な補正手段と、
上記領域検出手段によって上記ズームレンズが所定焦点距離近傍にあると検出された場合、上記補正手段による歪曲収差の補正を行わせる制御手段と、
上記補正手段より出力されるプレビュー画像、及び記録済み画像を再生表示する画像表示手段と、
を具備し、
上記画像表示手段に表示されるプレビュー画像は、上記補正手段の処理時間に対応した時間間隔で更新されることを特徴とする電子撮像装置。
【請求項２】
上記所定焦点距離は広角端の焦点距離であることを特徴とする請求項１に記載の電子撮像装置。
【請求項３】
交換レンズ用マウントを備えたレンズ交換式の電子撮像装置であって、
撮像手段の出力信号を入力し、装着された交換レンズにより発生する歪曲収差を電気的に補正可能な補正手段と、
上記補正手段から出力されるプレビュー画像、及び記録済み画像を再生表示する画像表示手段と、
所定量を超える歪曲収差を有する交換レンズが装着されたことを検知する検知手段と、
この検知手段によって所定量を超える歪曲収差を有する交換レンズが装着されたことが検知された場合に、プレビューを伴う撮影準備動作の開始に伴って上記補正手段による歪曲収差の補正を行わせる制御手段と、
を具備し、
上記プレビュー画像は、上記補正手段の処理時間に対応した時間間隔で更新されることを特徴とする電子撮像装置。
【請求項４】
静止画単写／連写撮影モード及び動画撮影モードを備えた電子撮像装置であって、
所定焦点距離近傍にて歪曲収差が最大となるズームレンズと、
このズームレンズが上記所定焦点距離近傍にあることを検出する領域検出手段と、
上記ズームレンズの焦点面に配された撮像手段の出力信号を入力し、上記ズームレンズに起因する歪曲収差を電気的に補正可能な補正手段と、
上記領域検出手段によって上記ズームレンズが上記所定焦点距離近傍にあると検出された場合、上記補正手段による歪曲収差の補正動作を行わせると共に、動画撮影モード及び静止画連写撮影モードによる撮影動作を禁止する制御手段と、
を具備することを特徴とする電子撮像装置。
【請求項５】
上記所定焦点距離は広角端の焦点距離であることを特徴とする請求項４に記載の電子撮像装置。
【請求項６】
所定焦点距離近傍にて歪曲収差の補正を要するズームレンズと、
このズームレンズが所定焦点距離近傍にあることを検出する検出手段と、
上記ズームレンズの焦点面に配されて撮像を行う撮像手段と、
上記撮像手段の出カ信号に基づいて、上記ズームレンズに起因する歪曲収差を電気的に補正する補正手段と、
上記撮像手段で得られた被写体像を再生表示する画像表示手段と、
上記検出手段によって上記ズームレンズが所定焦点距離近傍にあると検出された場合に、上記補正手段による歪曲収差の補正を行わせると共に、上記ズームレンズの焦点距離範囲を制限する制御手段と、
を具備することを特徴とする電子撮像装置。
【請求項７】
上記所定焦点距離は広角端の焦点距離であることを特徴とする請求項６に記載の電子撮像装置。
【請求項８】
交換レンズ用マウントを備えたレンズ交換式の電子撮像装置であって、
交換レンズを介して入射される被写体像から撮像信号を得る撮像手段と、
上記撮像手段の撮像信号から、装着された交換レンズにより発生する歪曲収差を電気的に補正する補正手段と、
上記撮像手段で得られた被写体像を再生表示する画像表示手段と、
所定量を超える歪曲収差を有する交換レンズが装着されたことを検知する検知手段と、
上記検知手段によって上記装着された交換レンズが所定量を超える歪曲収差であると検知された場合に、上記補正手段による歪曲収差の補正を行わせると共に、上記交換レンズの焦点距離を制限する制御手段と、
を具備することを特徴とする電子撮像装置。
【発明の詳細な説明】
【技術分野】
【０００１】
本発明は、デジタルカメラカメラ付き携帯電話機等に用いられる電子撮像装置に関し、特に、ズームレンズの歪曲収差を補正した電子撮像装置に関するものである。
【背景技術】
【０００２】
ズームレンズの歪曲収差や倍率色収差特性は光学設計段階で適宜設定され、例えば、広角端での歪曲収差量を最大とし、中間領域と望遠端では歪曲収差量が許容範囲内に収まるよう設計されることがある。そして、斯かるスキームにて設計されたズームレンズを用いて撮影する場合、中間領域から望遠端にかけては歪曲収差補正処理を行う必要がなく、広角端近傍領域においてのみ歪曲収差補正処理を行えば良い。
【０００３】
ところで、電子撮像装置に於ける歪曲収差補正処理は、デジタル画像データを対象とするデジタル演算処理であって、カラーで多画素の場合は補正の程度に応じて演算量が多くなる。そのため、歪曲収差補正処理を起動すると、撮影準備動作中に表示されるプレビュー画像（動画）の描画速度が低下して使い勝手が悪くなることがある。
【０００４】
例えば、上記の如く設計されたズームレンズを用いた固体撮像カメラに於いて、広角端付近領域にあることを検知する検知手段を設け、この検知手段が作動しているときのみ撮像信号の歪曲収差を補正する補正回路を作動させる技術が提案されている（例えば、特許文献１参照）。また、歪曲収差補正回路の作動を制御するモード選択スイッチを設け、このスイッチによりズームレンズの歪曲収差の補正動作を制御すると共に、歪曲収差補正後に記録される撮像領域を判りやすく表示するようにした電子カメラが知られている（例えば、特許文献２参照）。更に、スルー画表示用と静止画記録用の歪曲収差補正テーブルを有し、歪曲収差補正を要する領域に於けるスルー画表示にてもスルー画表示用補正テーブルに基いて補正された動画としてスルー画表示し、静止画記録を行うときは静止画記録用の歪曲収差補正テーブルに基いて補正された静止画を記録するようにしたデジタルカメラが知られている（例えば、特許文献３参照）。
【特許文献１】特開平６−１８１５３０号公報
【特許文献２】特開平１１−２７５４４４号公報
【特許文献３】特開２００４−１２８５６５号公報
【発明の開示】
【発明が解決しようとする課題】
【０００５】
しかしながら、上述した特許文献１に記載のカメラでは、広角端近傍では常に歪曲収差補正動作がなされるが、プレビュー画面処理については何ら示唆されていない。また、特許文献２に記載のカメラでは、歪曲収差補正後の画像を事前に確認することはできないものであった。更に、特許文献３に記載のカメラでは、スルー画用と静止画用の補正テーブルを別途用意する必要があり、回路規模が大きくなることが予想される。
【０００６】
したがって本発明は、上記実情に鑑みてなされたものであり、回路規模を増大させることなく、プレビュー画面に於いて歪曲収差補正処理後の画像を確認可能な電子撮像装置を提供することを目的とする。
【課題を解決するための手段】
【０００７】
すなわち、請求項１に記載の発明は、所定焦点距離近傍にて歪曲収差の補正を要するズームレンズと、このズームレンズが所定焦点距離近傍にあることを検出する領域検出手段と、上記ズームレンズの焦点面に配された撮像手段の出カ信号を入力し、上記ズームレンズに起因する歪曲収差を電気的に補正可能な補正手段と、上記領域検出手段によって上記ズームレンズが所定焦点距離近傍にあると検出された場合、上記補正手段による歪曲収差の補正を行わせる制御手段と、上記補正手段より出力されるプレビュー画像、及び記録済み画像を再生表示する画像表示手段と、を具備し、上記画像表示手段に表示されるプレビュー画像は、上記補正手段の処理時間に対応した時間間隔で更新されることを特徴とする。
【０００８】
請求項２に記載の発明は、請求項１に記載の発明に於いて、上記所定焦点距離は広角端の焦点距離であることを特徴とする。
【０００９】
請求項３に記載の発明は、交換レンズ用マウントを備えたレンズ交換式の電子撮像装置であって、撮像手段の出力信号を入力し、装着された交換レンズにより発生する歪曲収差を電気的に補正可能な補正手段と、上記補正手段から出力されるプレビュー画像、及び記録済み画像を再生表示する画像表示手段と、所定量を超える歪曲収差を有する交換レンズが装着されたことを検知する検知手段と、この検知手段によって所定量を超える歪曲収差を有する交換レンズが装着されたことが検知された場合に、プレビューを伴う撮影準備動作の開始に伴って上記補正手段による歪曲収差の補正を行わせる制御手段と、を具備し、上記プレビュー画像は、上記補正手段の処理時間に対応した時間間隔で更新されることを特徴とする。
【００１０】
請求項４に記載の発明は、静止画単写／連写撮影モード及び動画撮影モードを備えた電子撮像装置であって、所定焦点距離近傍にて歪曲収差が最大となるズームレンズと、このズームレンズが上記所定焦点距離近傍にあることを検出する領域検出手段と、上記ズームレンズの焦点面に配された撮像手段の出力信号を入力し、上記ズームレンズに起因する歪曲収差を電気的に補正可能な補正手段と、上記領域検出手段によって上記ズームレンズが上記所定焦点距離近傍にあると検出された場合、上記補正手段による歪曲収差の補正動作を行わせると共に、動画撮影モード及び静止画連写撮影モードによる撮影動作を禁止する制御手段と、を具備することを特徴とする。
【００１１】
請求項５に記載の発明は、請求項４に記載の発明に於いて、上記所定焦点距離は広角端の焦点距離であることを特徴とする。
【００１２】
請求項６に記載の発明は、所定焦点距離近傍にて歪曲収差の補正を要するズームレンズと、このズームレンズが所定焦点距離近傍にあることを検出する検出手段と、上記ズームレンズの焦点面に配されて撮像を行う撮像手段と、上記撮像手段の出カ信号に基づいて、上記ズームレンズに起因する歪曲収差を電気的に補正する補正手段と、上記撮像手段で得られた被写体像を再生表示する画像表示手段と、上記検出手段によって上記ズームレンズが所定焦点距離近傍にあると検出された場合に、上記補正手段による歪曲収差の補正を行わせると共に、上記ズームレンズの焦点距離範囲を制限する制御手段と、を具備することを特徴とする。
【００１３】
請求項７に記載の発明は、請求項６に記載の発明に於いて、上記所定焦点距離は広角端の焦点距離であることを特徴とする。
【００１４】
請求項８に記載の発明は、交換レンズ用マウントを備えたレンズ交換式の電子撮像装置であって、交換レンズを介して入射される被写体像から撮像信号を得る撮像手段と、上記撮像手段の撮像信号から、装着された交換レンズにより発生する歪曲収差を電気的に補正する補正手段と、上記撮像手段で得られた被写体像を再生表示する画像表示手段と、所定量を超える歪曲収差を有する交換レンズが装着されたことを検知する検知手段と、上記検知手段によって上記装着された交換レンズが所定量を超える歪曲収差であると検知された場合に、上記補正手段による歪曲収差の補正を行わせると共に、上記交換レンズの焦点距離を制限する制御手段と、を具備することを特徴とする。
【発明の効果】
【００１５】
本発明によれば、回路規模を増大させることなく、プレビュー画面に於いて歪曲収差補正処理後の画像を確認可能な電子撮像装置を提供することができる。
【発明を実施するための最良の形態】
【００１６】
以下、図面を参照して、本発明の実施形態を説明する。  
図１は、本発明に係る第１の実施形態のデジタルカメラの外観構成を示す斜視図である。  
図１に於いて、デジタルカメラ１の外装であるハウジング２上面部には、撮影操作を行うためのシャッタ釦３が設けられている。また、デジタルカメラ１の前面となるハウジング２には、フラッシュ装置４、ファインダ光学系５が設けられると共に、撮像光学系６用の保護ガラス６ａが設けられている。この保護ガラス６ａは、図示されない被写体からの光束を撮像光学系６に取り込むための窓である。
【００１７】
図２は、図１に示されるデジタルカメラの内部構成を模式的に示した図である。  
図２に於いて、システムコントローラ１１は、本デジタルカメラ全体の制御を司る制御手段として機能するもので、モータドライバ回路１２を介してズーム駆動用モータ１３及びＡＦ駆動用モータ１４と接続されている。ズーム駆動用モータ１３は、ズーム可動レンズ群１５をレンズ鏡枠１６に沿って光軸方向に移動させるためのモータである。このズーム可動レンズ群１５は、固定された前玉レンズ１７とＡＦ結像用後玉レンズ１８の間を移動するもので、上記ＡＦ駆動用モータ１４は、上記ＡＦ結像用後玉レンズ１８の位置を調整して被写体距離を合焦させるためのものである。
【００１８】
図示されない被写体からの光束は、保護ガラス７、前玉レンズ１７、ズーム可動レンズ群１５及びＡＦ結像用後玉レンズ１８を介して、電気基板１９に装着されたＣＣＤ等で構成される撮像センサ２０上に結像される。また、ズーム可動レンズ群１５には、その位置を検出するための検出片２２が設けられている。そして、レンズ鏡枠１６の広角（ＷＩＤＥ）側には、上記検出片２２と接触して上記ズーム可動レンズ群１５の位置を検出するためのＷＩＤＥ側検出スイッチ２３が設けられている。これら検出片２２とＷＩＤＥ側検出スイッチ２３の詳細については後述する。
【００１９】
上記システムコントローラ１１には、上記モータドライバ回路１２、ＷＩＤＥ側検出スイッチ２３の他、歪補正回路２６を介して、シャッタ釦３と、撮像センサ２０が接続されたＣＣＤインターフェース回路２５と、撮影切り替えスイッチ（ＳＷ）２７が接続されている。上記歪補正回路２６は、図３（ａ）に示されるように、入力された画像（静止画）が歪曲している場合に、図３（ｂ）に示されるように、歪を補正して出力する回路である。また、上記撮影切り替えスイッチ２７は、動画撮影と静止画撮影とを切り替えるためのスイッチである。
【００２０】
シャッタ釦３は、第１レリーズスイッチと第２レリーズスイッチの２段式のスイッチで構成されており、シャッタ釦３が半押し操作されることによって、第１レリーズスイッチがオンされて測光処理や測距処理などの撮影準備動作が実行される。また、シャッタ釦３が全押し操作されることによって、第２レリーズスイッチがオンされて露光動作が実行される。
【００２１】
更に、システムコントローラ１１には、液晶モニタ駆動回路２９を介して液晶モニタ３０が接続されると共に、記憶領域としてのＦｌａｓｈＭｅｍｏｒｙ３２、ＳＤＲＡＭ３３及び記録メディア３４と、ズームスイッチ（ＳＷ）３５と、電源スイッチ（ＳＷ）３６とが接続されている。これらは、電子記録表示機能を提供できるように構成されている。また、電源スイッチ３６にはバッテリとして電源３７が接続されている。尚、液晶モニタ３０に表示されるスルー画としてのプレビュー画像は、上記歪補正回路２６の処理時間に対応した時間間隔で更新される。
【００２２】
次に、図４乃至図７を参照して、上述したズーム可動レンズ群１５とＷＩＤＥ側検出スイッチ２３の動作について説明する。図４は静止画撮影時のズーム可動レンズ群１５が望遠（ＴＥＬＥ）側に位置された状態の例を示したもので、（ａ）はレンズ鏡枠１６とＷＩＤＥ側検出スイッチ２３を示した図、（ｂ）は検出片とＷＩＤＥ側検出スイッチ２３の接点の位置を模式的に示した図である。また、図５は静止画撮影時のズーム可動レンズ群１５が広角（ＷＩＤＥ）側に位置された状態の例を示したもので、（ａ）はレンズ鏡枠１６とＷＩＤＥ側検出スイッチ２３を示した図、（ｂ）は検出片とＷＩＤＥ側検出スイッチ２３の接点の位置を模式的に示した図である。
【００２３】
図４に示されるように、ズーム可動レンズ群１５が広角側にない場合、例えば望遠側にある場合は、検出片２２とＷＩＤＥ側検出スイッチ２３の接点２３ａは接触していない。すなわち、ＷＩＤＥ側検出スイッチ２３はオフ状態である。一方、図５に示されるように、ズーム可動レンズ群１５が広角側の所定位置である静止画補正画像切り替え点にある場合は、検出片２２とＷＩＤＥ側検出スイッチ２３の接点２３ａが接触する。これにより、ＷＩＤＥ側検出スイッチ２３がオン状態となって、システムコントローラ１１に対してズーム可動レンズ群１５が広角側の静止画補正画像切り替え点に達したことが伝達される。そして、この静止画補正画像切り替え点よりも広角側は、歪補正回路２６による補正処理が必要な領域となる。
【００２４】
図６は動画撮影時のズーム可動レンズ群１５が望遠（ＴＥＬＥ）側に位置された状態の例を示したもので、（ａ）はレンズ鏡枠１６とＷＩＤＥ側検出スイッチ２３を示した図、（ｂ）は検出片とＷＩＤＥ側検出スイッチ２３の接点の位置を模式的に示した図である。また、図７は動画撮影時のズーム可動レンズ群１５が広角（ＷＩＤＥ）側に位置された状態の例を示したもので、（ａ）はレンズ鏡枠１６とＷＩＤＥ側検出スイッチ２３を示した図、（ｂ）は検出片とＷＩＤＥ側検出スイッチ２３の接点の位置を模式的に示した図である。
【００２５】
図６に示されるように、ズーム可動レンズ群１５が広角側にない場合、例えば望遠側にある場合は、検出片２２とＷＩＤＥ側検出スイッチ２３の接点２３ａは接触していない。すなわち、ＷＩＤＥ側検出スイッチ２３はオフ状態である。一方、図７に示されるように、ズーム可動レンズ群１５が動画撮像範囲よりも広角側にある場合は、検出片２２とＷＩＤＥ側検出スイッチ２３の接点２３ａが接触する。これにより、ＷＩＤＥ側検出スイッチ２３がオン状態となって、システムコントローラ１１に対してズーム可動レンズ群１５が広角側の静止画補正画像切り替え点に達したことが伝達される。
【００２６】
そして、この静止画補正画像切り替え点よりも広角側の領域は、動画撮像範囲を超えているので歪補正が必要となる。しかしながら、動画の場合は、歪補正回路による処理が複雑なことから高価になるため、本発明では、ズーム可動レンズ群１５を広角側で歪補正回路による補正を必要としない位置で停止させるようにしている。但し、動画の場合でも、最初のみ歪補正回路２６による補正処理は行われる。
【００２７】
図８は、図２のレンズ鏡枠１６及びその周辺部の光学構成を示す光軸に沿う断面図である。  
本実施形態の電子撮像装置は、図８に示されるように、レンズ鏡枠１６内で、物体側から順に、複数のレンズと、撮像センサであるＣＣＤを有している。図８に於いて、ＩはＣＣＤの撮像面である。ズームレンズと撮像面Ｉとの間には、平面平板状の光学的ローパスフィルタ４２と保護ガラス２０ａが設けられている。ズームレンズは、物体側（図面左側）から順に、対物レンズＧ１と、対物レンズ群Ｇ２と、絞り４１と、ズームレンズ群Ｇ３と、結像レンズＧ４とを有してなる。
【００２８】
対物レンズＧ１は、１枚の両凸正レンズＬ１で構成されており、全体で正の屈折力を有している。対物レンズ群Ｇ２は、物体側から順に、両凹負レンズＬ２1 と、両凸正レンズＬ２2 とで構成されており、全体で負の屈折力を有している。ズームレンズ群Ｇ３は、両凸正レンズＬ３1 と、両凸正レンズＬ３2 と、両凹負レンズＬ３3 との接合レンズとで構成されており、全体で正の屈折力を有している。尚、ズームレンズ群Ｇ３は、図２のズーム可動レンズ群１５に対応するものである。更に、結像レンズＧ４は、物体側に凸面を向けた正メニスカスレンズＬ４1 と、物体側に凸面を向けた正メニスカスレンズＬ４2 とで構成されている。
【００２９】
また、対物レンズＧ１及び対物レンズ群Ｇ２はレンズ鏡枠１６に固定され、ズームレンズ群Ｇ３、結像レンズＧ４は、それぞれレンズ鏡枠１６内のズーム枠４０、結像枠４０ａに固定されている。上記ズーム枠４０、結像枠４０ａは、それぞれレンズ鏡枠１６内に形成されたガイドピンに沿って、光軸方向に摺動自在となっている。このズーム枠４０がガイドピン４３に沿って光軸方向に移動することによってズームの倍率が変化し、同様に結像枠４０ａが移動することによって撮像センサ２０上に被写体像を結像させる。
【００３０】
レンズ鏡枠１６の外側にはＷＩＤＥ側検出スイッチ２３が設けられており、該スイッチ２３の接点としての押圧片４４がレンズ鏡枠１６内の所定位置に設けられている。この押圧片４４が、ガイドピン４３に設けられた図示されない検出片と接触することにより、ズーム枠４０が検出位置に到達したことがわかる。尚、上記ＷＩＤＥ側検出スイッチ２３は、スイッチ（ＳＷ）リード線４６を介して、システムコントローラ１１に接続されている。
【００３１】
無限遠物点合焦時に於いて、広角端から望遠端へと変倍する際には、対物レンズＧ１は位置が固定され、対物レンズ群Ｇ２は像側へ移動し、絞り４１は位置が固定され、ズームレンズ群Ｇ３は物体側へ単調に移動し、結像レンズＧ４は位置が固定されるようになっている。また、合焦動作時に際しては、結像レンズＧ４が光軸上を移動するようになっている。非球面は、対物レンズＧ１中の両凸正レンズＬ１の物体側の面、対物レンズ群Ｇ２中の両凹負レンズＬ２1 の両面、ズームレンズ群Ｇ３中の両凸正レンズＬ３1 の両面に設けられている。
【００３２】
図９は、上述したズームレンズの無限遠物点合焦時に於ける歪曲収差を示す図であり、（ａ）は広角端、（ｂ）は中間、（ｃ）は望遠端、（ｄ）は広角端と中間との間、（ｅ）は中間と望遠端との間での状態を、それぞれ示している。これによると、最も広角側で歪曲収差が大きくなることがわかる。したがって、ＷＩＤＥ側検出スイッチ２３は、ズームレンズの広角側よりも中間寄りの、図３（ａ）に示されるような、大きな歪曲収差が生じない所定位置に設定されているものとする。
【００３３】
次に、図１０のフローチャートを参照して、本発明の第１の実施形態に於けるデジタルカメラの撮影動作について説明する。
【００３４】
デジタルカメラ１の電源スイッチ３６がオンされると本シーケンスが開始され、先ずステップＳ１にて、スルー画像の表示が開始される。次いで、ステップＳ２及びＳ３に於いて、ズームスイッチ３５が操作されたか否かが判定される。ここで、ズームアップ（ＵＰ）操作がなされた場合は、ステップＳ４に移行してズーム駆動用モータ１３が上記ズームアップ操作に応じて所定量駆動されて、ズーム可動レンズ群１５が広角側から望遠側に移動される。また、ズームダウン（ＤＯＷＮ）操作がなされた場合は、ステップＳ５へ移行してズーム駆動用モータ１３が上記ズームダウン操作に応じて所定量駆動されて、ズーム可動レンズ群１５が望遠側から広角側に移動される。
【００３５】
上記ステップＳ４またはＳ５にてズーム可動レンズ群１５が移動されたならば、ステップＳ６に於いて歪曲収差の補正が必要な領域であるか否かが判定される。これは、ＷＩＤＥ側検出スイッチ２３の状態に基づいて判定される。その結果、ＷＩＤＥ検出スイッチ２３がオンされていれば補正が必要であるので、ステップＳ７に移行して補正表示フラグがセット（“１”）される。一方、上記ステップＳ６にてＷＩＤＥ側検出スイッチ２３がオフであれば、補正の必要がないので、ステップＳ８へ移行して補正表示フラグがリセット（“０”）される。上記ステップＳ７またはＳ８の後は、上記ステップＳ１へ移行して上述した処理動作が繰り返される。
【００３６】
また、上記ステップＳ２及びＳ３にてズームスイッチ３５の操作がされていない、或いはズームスイッチ３５の操作が終了した場合は、ステップＳ９へ移行してシャッタ釦３の状態が判定される。ここで、シャッタ釦３が半押しされていない場合は上記ステップＳ１へ移行して、上述した処理動作が繰り返される。そして、シャッタ釦３が半押しされている、すなわち第１レリーズスイッチがオンされている場合は、ステップＳ１０へ移行してＡＦ駆動用モータ１４を介してＡＦ結像用後玉レンズ１８が駆動されて、ＡＦ動作が実行される。
【００３７】
次に、ステップＳ１１に於いて、上記ステップＳ７またはＳ８で設定された補正表示フラグが判定される。ここで、補正表示フラグがセット（“１”）されている場合は、ステップＳ１２へ移行する。そして、歪補正回路２６が動作されて、図３（ｂ）に示されるような補正画像が、所定時間液晶モニタ３０に表示される。この場合、動画撮影であっても、最初の画像について歪補正が行われて、液晶モニタ３０に補正画像が表示される。続いて、ステップＳ１３にてズーム駆動用モータ１３が所定量駆動されて、ズーム可動レンズ群１５が広角側から望遠側に移動される。その後、上記ステップＳ６へ移行する。すなわち、ズーム可動レンズ群１５が広角側で歪補正を必要としない位置（静止画補正画像切り替え点）まで移動される。
【００３８】
そして、上記ステップＳ１１にて、補正表示フラグがリセット（“０”）であると判定された場合は、ステップＳ１４へ移行して、撮影された画像が補正されずに液晶モニタ３０に表示される。その後、ステップＳ１５へ移行する。
【００３９】
ステップＳ１５では、再び、シャッタ釦３の状態が判定される。ここでは、シャッタ釦３の全押しの状態である第２レリーズスイッチの状態が判定される。そして、第２レリーズスイッチがオンされるまで待機し、オンされたならば、ステップＳ１６へ移行する。ステップＳ１６では、撮像センサ２０に結像された画像が読み込まれて画像圧縮が施された後、記録メディア３４に記録される。その後、上記ステップＳ１へ移行する。
【００４０】
このようにして、ＷＩＤＥ側検出スイッチによって歪曲収差の補正が必要な場合にのみこれを補正して、シャッタ釦の半押し時にスルー画像と切り替えて表示するようにしている。また、動画の場合は歪補正処理を行わない範囲でズーム操作されるため、実際の撮影時の画像とスルー画像とを切り替えた際に生じる違和感を低減させることができる。
【００４１】
（第２の実施形態）
次に、本発明の第２の実施形態について説明する。
【００４２】
上述した第１の実施形態は、ズームレンズを有したデジタルカメラの例について説明したが、本第２の実施形態は、広角／望遠のみの切り換えが可能なＷＩＤＥ／ＴＥＬＥ交換レンズを有したデジタルカメラの例である。
【００４３】
以下、この第２の実施形態について説明するが、デジタルカメラの基本的な構成については、図１乃至図１０に示される第１の実施形態と同じであり、基本的な撮影動作についても同様である。したがって、これらの構成及び動作については、同一の部分には同一の参照番号を付して、その図示及び説明は省略する。
【００４４】
図１１は、本発明の第２の実施形態によるデジタルカメラの内部構成を模式的に示した図である。  
図１１に於いて、本デジタルカメラ５０全体の制御を司る制御手段としてのシステムコントローラ１１には、ＷＩＤＥレンズ検出スイッチ５８と、ＡＦ駆動用回路５６を介してＡＦアクチュエータ５５と、歪補正回路２６を介してシャッタ半押し検出スイッチ（ＳＷ）６２と、ＡＦＯＮ及び切り替えスイッチ（ＳＷ）６３と、が接続されている。更にシステムコントローラ１１には、歪補正回路２６及びＣＣＤインターフェース回路２５を介した撮像センサ２０と、液晶モニタ駆動回路２９を介した液晶モニタ３０と、ＦｌａｓｈＭｅｍｏｒｙ３２、ＳＤＲＡＭ３３及び記録メディア３４と、ズームスイッチ（ＳＷ）３５と、電源スイッチ（ＳＷ）３６とが接続されている。
【００４５】
また、デジタルカメラ５０の前面部には、ＷＩＤＥ／ＴＥＬＥ交換レンズユニット５２が装着されている。図１２は、このＷＩＤＥ／ＴＥＬＥ交換レンズユニット（以下、交換レンズユニットと略記する）５２及びその周辺部の構造を示したもので、（ａ）は外観図、（ｂ）は（ａ）のＡ−Ａ′線に沿った部分的な断面図である。
【００４６】
デジタルカメラ５０の前面部の略中央には、交換レンズユニット５２を装着するための本体側マウント受け部５１ａが設けられている。このマウント受け部５１ａには、交換レンズユニット５２を装着するためのマウントネジ６５ａ及び電気的接続を行うための接点５９ａが設けられている。上記本体側マウント受け部５１ａの近傍には、ＷＩＤＥレンズ検出スイッチ５８が設けられている。このＷＩＤＥレンズ検出スイッチ５８を構成するスイッチリード５８ａが、交換レンズユニット５２側のワイド検出片６０ａと係合することによって、交換レンズユニット５２が広角側に切り替えられていることが検出される。
【００４７】
交換レンズユニット５２は、内部に前玉レンズ５３と、ＡＦ結像用後玉レンズ５４を有し、ＡＦアクチュエータ５５によってレンズの切り替えが行われるようになっている。そして、カメラ本体に装着される側には、マウントネジ６５ａと螺合するマウントネジ６５ｂと、接点５９ａと電気的接続を行う接点５９ｂ、更には上記スイッチリード５８ａと係合するワイド検出片６０が形成されている。
【００４８】
次に、図１３乃至図１５を参照して、ＡＦＯＮ及び切り替えスイッチ６３について説明する。図１３乃至図１５はＡＦＯＮ及び切り替えスイッチ６３の構成を説明するもので、図１３（ａ）はオフ状態の構成図、（ｂ）は（ａ）の状態の回路図、図１４（ａ）はワンショット（単写）撮影状態の構成図、（ｂ）は（ａ）の状態の回路図、図１５（ａ）は連続撮影状態の構成図、（ｂ）は（ａ）の状態の回路図である。
【００４９】
先ず、図１３（ａ）に示される状態は、図示矢印Ｂ方向に摺動自在の操作部材７１が取付けられた擢動電極７２の接点７２ａ及び７２ｂは、中央電極７３、固定電極７４ａ、７４ｂの何れにも接触していない。これは、図１３（ｂ）に示されるように、切り替え端子７７ａが、ワンショット撮影用の端子７７ｂ、連続撮影用の端子７７ｃの何れにも導通していない、オフ状態である。
【００５０】
次いで、図１４（ａ）に示されるように、ユーザの指７０によって、図示矢印Ｂ1 方向に操作部材７１が摺動されたとする。この状態では、擢動電極７２の接点７２ａが固定電極７４ａと接触し、接点７２ｂが中央電極７３と接触している。すなわち、図１４（ｂ）に示されるように、切り替え端子７７ａはワンショット撮影用の端子７７ｂと導通している状態となる。これがワンショット撮影状態である。尚、この状態で指７０を操作部材７１から離すと、戻りバネ７５によって、ワンショット撮影状態の位置からオフ状態の位置まで自動的に戻るようになっている。
【００５１】
また、図１５（ａ）に示されるように、ユーザの指７０によって、図示矢印Ｂ2 方向に操作部材７１が摺動されたとする。この状態では、擢動電極７２の接点７２ａが中央電極７３と接触し、接点７２ｂが固定電極７４ｂと接触している。すなわち、図１５（ｂ）に示されるように、切り替え端子７７ａは連続撮影用の端子７７ｃと導通している状態となる。これが連続撮影状態である。この場合、連続撮影用の固定電極７４ｂ側には戻りバネは存在しないので、指７０が操作部材７１から離れても擢動電極７２は移動せず、そのまま連続撮影状態が維持される。
【００５２】
次に、図１６のフローチャートを参照して、本発明の第２の実施形態に於けるデジタルカメラの撮影動作について説明する。
【００５３】
デジタルカメラ５０の電源スイッチ３６がオンされると本シーケンスが開始され、先ずステップＳ２１にて、スルー画像の表示が開始される。次いで、ステップＳ２２及びＳ２３に於いて、ＡＦＯＮ及び切り替えスイッチ６３の状態が判定される。ここで、図１３に示されるように、連続撮影状態にＡＦＯＮ及び切り替えスイッチ６３が切り替えられたならば、ステップＳ２４に移行して、連続撮影用のＡＦ機能動作が実行される。また、ＡＦＯＮ及び切り替えスイッチ６３がワンショット撮影状態に切り替えられたならば、ステップＳ２５に移行して、ワンショット撮影用のオートフォーカス機能動作が実行される。更に、上記ステップＳ２２及びＳ２３にて、ＡＦＯＮ及び切り替えスイッチ６３がオフ状態の場合は、上記ステップＳ２１に移行して、上述した処理動作が繰り返される。
【００５４】
上記ステップＳ２４またはＳ２５にて、オートフォーカス機能動作が実行されたならば、ステップＳ２６に於いて歪曲収差の補正が必要であるか否かが判定される。これは、ＷＩＤＥレンズ検出スイッチ５８の状態に基づいて判定される。その結果、ＷＩＤＥレンズ検出スイッチ５８がオンされていれば補正が必要であるので、ステップＳ２７に移行して補正表示フラグがセットされる。一方、上記ステップＳ２６にてＷＩＤＥレンズ検出スイッチ５８がオフであれば、補正の必要がないので、ステップＳ２８へ移行して補正表示フラグがリセットされる。
【００５５】
上記ステップＳ２７またはＳ２８の後は、ステップＳ２９へ移行してシャッタ釦３の状態が判定される。ここで、シャッタ釦３が半押しされていない場合は上記ステップＳ２１へ移行して、上述した処理動作が繰り返される。そして、シャッタ釦３が半押しされている、すなわち第１レリーズスイッチがオンされている場合は、ステップＳ３０へ移行して、上記ステップＳ２７またはＳ２８で設定された補正表示フラグが判定される。ここで、補正表示フラグがセット（“１”）されている場合は、ステップＳ３１へ移行する。そして、歪補正回路２６が動作されて、図３（ｂ）に示されるような補正画像が、所定時間液晶モニタ３０に表示される。続いて、ステップＳ３２にて、交換レンズユニット５２内のレンズが所定量駆動されて広角側から望遠側に移動される。その後、上記ステップＳ２６へ移行する。これは、ＷＩＤＥレンズ検出スイッチ５８がオンされなくなる位置、すなわち、交換レンズが広角側の歪補正を必要としない位置（静止画補正画像切り替え点）まで移動されることになる。その後、上記ステップＳ２６へ移行する。
【００５６】
一方、上記ステップＳ３０にて、補正表示フラグがリセット（“０”）されている場合は、ステップＳ３３へ移行して、撮影された画像が補正されずに液晶モニタ３０に表示される。その後、ステップＳ３４へ移行する。
【００５７】
ステップＳ３４では、再び、シャッタ釦３の状態が判定される。ここでは、シャッタ釦３の全押しの状態である第２レリーズスイッチの状態が判定される。そして、第２レリーズスイッチがオンされるまで待機し、オンされたならば、ステップＳ３５へ移行する。ステップＳ３５では、撮像センサ２０に結像された画像が読み込まれて画像圧縮が施された後、記録メディア３４に記録される。そして、ステップＳ３６にてＡＦ機能動作がオフにされた後、上記ステップＳ２１へ移行する。
【００５８】
このようにして、ＷＩＤＥ側検出スイッチによって歪曲収差の補正が必要な場合にのみこれを補正して、シャッタ釦の半押し時にスルー画像と切り替えて表示するようにしている。また、動画の場合は歪補正処理を行わない位置で広角側を停止させるため、実際の撮影時の画像とスルー画像とを切り替えた際に生じる違和感を低減させることができる。
【００５９】
以上、本発明の実施形態について説明したが、本発明は上述した実施形態に限られるものではなく、発明の構成要素をこの発明の要旨を逸脱しない範囲で種々に変更して実施できることは言うまでもない。
【図面の簡単な説明】
【００６０】
【図１】本発明に係る第１の実施形態のデジタルカメラの外観構成を示す斜視図である。
【図２】図１に示されるデジタルカメラの内部構成を模式的に示した図である。
【図３】（ａ）は図２の歪補正回路２６に入力された歪み画像の例を示した図、（ｂ）は歪補正回路２６から出力された補正画像の例を示した図である。
【図４】ズーム可動レンズ群１５とＷＩＤＥ側検出スイッチ２３の動作について説明するもので、静止画撮影時のズーム可動レンズ群１５が望遠（ＴＥＬＥ）側に位置された状態の例を示し、（ａ）はレンズ鏡枠１６とＷＩＤＥ側検出スイッチ２３を示した図、（ｂ）は検出片とＷＩＤＥ側検出スイッチ２３の接点の位置を模式的に示した図である。
【図５】ズーム可動レンズ群１５とＷＩＤＥ側検出スイッチ２３の動作について説明するもので、静止画撮影時のズーム可動レンズ群１５が広角（ＷＩＤＥ）側に位置された状態の例を示し、（ａ）はレンズ鏡枠１６とＷＩＤＥ側検出スイッチ２３を示した図、（ｂ）は検出片とＷＩＤＥ側検出スイッチ２３の接点の位置を模式的に示した図である。
【図６】ズーム可動レンズ群１５とＷＩＤＥ側検出スイッチ２３の動作について説明するもので、動画撮影時のズーム可動レンズ群１５が望遠（ＴＥＬＥ）側に位置された状態の例を示し、（ａ）はレンズ鏡枠１６とＷＩＤＥ側検出スイッチ２３を示した図、（ｂ）は検出片とＷＩＤＥ側検出スイッチ２３の接点の位置を模式的に示した図である。
【図７】ズーム可動レンズ群１５とＷＩＤＥ側検出スイッチ２３の動作について説明するもので、動画撮影時のズーム可動レンズ群１５が広角（ＷＩＤＥ）側に位置された状態の例を示し、（ａ）はレンズ鏡枠１６とＷＩＤＥ側検出スイッチ２３を示した図、（ｂ）は検出片とＷＩＤＥ側検出スイッチ２３の接点の位置を模式的に示した図である。
【図８】図２のレンズ鏡枠１６及びその周辺部の光学構成を示す光軸に沿う断面図である。
【図９】ズームレンズの無限遠物点合焦時に於ける歪曲収差を示すもので、（ａ）は広角端、（ｂ）は中間、（ｃ）は望遠端、（ｄ）は広角端と中間との間、（ｅ）は中間と望遠端との間での状態を、それぞれ示した図である。
【図１０】本発明の第１の実施形態に於けるデジタルカメラの撮影動作について説明するフローチャートである。
【図１１】本発明の第２の実施形態によるデジタルカメラの内部構成を模式的に示した図である。
【図１２】ＷＩＤＥ／ＴＥＬＥ交換レンズユニット５２及びその周辺部の構造を示したもので、（ａ）は外観図、（ｂ）は（ａ）のＡ−Ａ′線に沿った部分的な断面図である。
【図１３】ＡＦＯＮ及び切り替えスイッチ６３の構成を説明するもので、（ａ）はオフ状態の構成図、（ｂ）は（ａ）の状態の回路図である。
【図１４】ＡＦＯＮ及び切り替えスイッチ６３の構成を説明するもので、（ａ）はワンショット（単写）撮影状態の構成図、（ｂ）は（ａ）の状態の回路図である。
【図１５】ＡＦＯＮ及び切り替えスイッチ６３の構成を説明するもので、（ａ）は連続撮影状態の構成図、（ｂ）は（ａ）の状態の回路図である。
【図１６】本発明の第２の実施形態に於けるデジタルカメラの撮影動作について説明するフローチャートである。
【符号の説明】
【００６１】
１…デジタルカメラ、２ハウジング、３…シャッタ釦、６…撮像光学系、１１…システムコントローラ、１２…モータドライバ回路、１３…ズーム駆動用モータ、１４…ＡＦ駆動用モータ、１５…ズーム可動レンズ群、１６…レンズ鏡枠、１７…前玉レンズ、１８…ＡＦ結像用後玉レンズ、１９…電気基板、２０…撮像センサ、２２…検出片、２３…ＷＩＤＥ側検出スイッチ、２５…ＣＣＤインターフェース回路、２６…歪補正回路、２７…撮影切り替えスイッチ（ＳＷ）、２９…液晶モニタ駆動回路、３０…液晶モニタ、３２…ＦｌａｓｈＭｅｍｏｒｙ、３３…ＳＤＲＡＭ、３４…記録メディア、３５…ズームスイッチ（ＳＷ）、３６…電源スイッチ（ＳＷ）、３７…電源。
【図１】
2007005912.tif 000003
【図２】
2007005912.tif 000004
【図３】
2007005912.tif 000005
【図４】
2007005912.tif 000006
【図５】
2007005912.tif 000007
【図６】
2007005912.tif 000008
【図７】
2007005912.tif 000009
【図８】
2007005912.tif 000010
【図９】
2007005912.tif 000011
【図１０】
2007005912.tif 000012
【図１１】
2007005912.tif 000013
【図１２】
2007005912.tif 000014
【図１３】
2007005912.tif 000015
【図１４】
2007005912.tif 000016
【図１５】
2007005912.tif 000017
【図１６】
2007005912.tif 000018